(57)【要約】【課題】暖房運転における、サーモオフ後において、被空調室内に対して必要以上の能力を出すことを防ぎ、サーモオフの頻発を防ぐこと。【解決手段】暖房運転時、被空調室内温度がリモコン設定温度２６から所定の温度より高い状態に達し、圧縮機４を停止するサーモオフ状態となり、その後運転を停止したことで室温が低下し、圧縮機４が再び運転を開始する場合、運転周波数が所定の周波数を超えないように制限を設けるものであり、これによって、室温上昇時、室内が必要としている熱量に対して、所定の熱量以上の熱量の供給を行わないので、サーモオフを頻繁に繰り返すことなく、室温のハンチングを防ぎ快適な状態を維持することができる。【選択図】図２
2006112702.tif 000002
【特許請求の範囲】
【請求項１】
室内吸込温度検出手段と、リモコン設定温度検出手段と、前記吸込温度検出手段及び前記リモコン設定温度検出手段の出力からその偏差を算出する偏差算出手段と、前記吸込温度検出手段及び前記リモコン設定風量検出手段並びに前記偏差算出手段の出力を基に圧縮機運転周波数を決定する周波数決定手段を具備した空気調和機であって、暖房運転時、被空調室内温度がリモコン設定温度から所定の温度より高い状態に達し、圧縮機を停止するサーモオフ状態となり、その後運転を停止したことで室温が低下し、圧縮機が再び運転を開始する場合、運転周波数が所定の周波数を超えないように制限を設けることを特徴とする空気調和機。
【請求項２】
サーモオフ状態から圧縮機が再び運転を開始し所定の時間経過した場合、所定の周波数制限を解除しリモコン設定温度と吸込温度の偏差等に基づき決定される圧縮機運転周波数を用いることを特徴とする請求項１記載の空気調和機。
【請求項３】
サーモオフ状態から圧縮機が再び運転を開始し、その状況においてユーザーがリモコン設定温度を上げた場合、所定の周波数制限を解除しリモコン設定温度と吸込温度の偏差等に基づき決定される圧縮機運転周波数を用いることを特徴とする請求項１及び請求項２記載の空気調和機。
【発明の詳細な説明】
【技術分野】
【０００１】
本発明は空気調和機に関し、特に空気調和機の暖房運転の圧縮機周波数制御に関するものである。
【背景技術】
【０００２】
従来、空気調和機の運転制御装置では、室温と設定温度との偏差からゾーンを定め、各ゾーンと運転周波数を対応付けるテーブルを持っている。例えば立ち上り時、偏差が大きいゾーンでは高周波数で運転をおこない、室温が安定してきたら、つまり偏差の小さいゾーンでは低周波数で運転をおこなうというものであった（例えば、特許文献１参照）。
【０００３】
図７は、特許文献１に記載された従来の周波数制御のブロック図を示すものである。図７に示すように、吸込温度４４、吸込温度検出手段４５、リモコン設定温度４６、リモコン設定温度検出手段４７、偏差検出手段４８、周波数テーブル４９、出力周波数５０から構成されている。
【特許文献１】特公昭６０−１２５３２号公報
【発明の開示】
【発明が解決しようとする課題】
【０００４】
しかしながら、従来の装置にあってはサーモオフ復帰時において、室温上昇時、被空調室内が必要としている熱量に対して、室温と設定温度との偏差から定められるゾーンによって決定される運転周波数に対応するエアコンの供給熱量が所定の熱量以上より多かった場合、室温上昇によるゾーンの変化によって運転周波数も低下するものの、供給熱量のオーバーシュートが大きく、一気に設定室温を超えた状態に達し、再びサーモオフ状態となる。その後室温が低下し圧縮機が再び起動するが、前述の現象を繰り返し、快適性を著しく損ねるという課題があった。
【０００５】
そこで、本発明は、上記のような問題に着目し、サーモオフを頻繁に繰り返すことなく、室温を維持することを可能とした空気調和機を提供するものである。
【課題を解決するための手段】
【０００６】
前記従来の課題を解決するために、本発明の空気調和機は、暖房運転時、被空調室内温度がリモコン設定温度から所定の温度より高い状態に達し、圧縮機を停止するサーモオフ状態となり、その後運転を停止したことで室温が低下し、圧縮機が再び運転を開始する場合、運転周波数が所定の周波数を超えないように制限を設けるものである。
【０００７】
これによって、室温上昇時、室内が必要としている熱量に対して、所定の熱量以上の熱量の供給を行わないので、サーモオフを頻繁に繰り返すことなく、室温のハンチングを防ぎ快適な状態を維持することができる。
【発明の効果】
【０００８】
本発明の空気調和機は、一度サーモオフした後は、周波数制限を設けることで、室内が必要としている熱量に対して、所定の熱量以上の熱量の供給を行わないので、サーモオフを頻繁に繰り返すことなく、室温のハンチングを防止し快適な状態を維持することが可能となる。
【発明を実施するための最良の形態】
【０００９】
第１の発明は、暖房運転時、被空調室内温度がリモコン設定温度から所定の温度より高
い状態に達し、圧縮機を停止するサーモオフ状態になり、その後、室温が低下し、圧縮機が再び運転を開始する場合、運転周波数が所定の周波数を超えないように制限を設けることにより、室温上昇時、室内が必要としている熱量に対して、所定の熱量以上の熱量の供給を行わないので、サーモオフを頻繁に繰り返すことなく、室温のハンチングを押さえ快適な状態を維持することができる。
【００１０】
第２の発明は、特に第１の発明において、サーモオフ状態から圧縮機が再び運転を開始し、所定の時間経過した場合、運転周波数の制限を解除し、リモコン設定温度と吸込温度の偏差等に基づき決定される圧縮機運転周波数を用いるので、何らかの原因によって、熱負荷が変化し、室内が必要としている熱量が増加していた場合、所定の時間経過後において室内が設定室温に達していないことがあるが、所定の時間経過後周波数制限が解除され、高い周波数で運転を行うことが可能となるので、供給熱量を増加させることができる。あるいは、所定の時間経過後、室内が設定室温に達していた場合においては、現状の運転周波数を維持するので、サーモオフが頻繁に起こることを防ぎつつ、また熱負荷の変動などに対応して必要な暖房能力を出すことが可能となる。
【００１１】
第３の発明は、特に第１、及び第２の発明において、ユーザーがリモコン設定温度を上げた場合、リモコン設定温度と吸込温度の偏差等に基づき決定される圧縮機運転周波数を用いるので、リモコン設定温度を上げたことにより、室内が必要としている熱量が増加するが、周波数制限が解除され、高い周波数で運転を行うことが可能となるので、供給熱量を増加させることができユーザーが望む暖房能力を出力すことが可能となる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の概略図を示すものである。図２は空気調和機の制御装置のブロック図、図３は同装置のフローチャートである。
【００１４】
図１において、空気調和機１は、室外機２と、室内機３で構成されている。室外機３には圧縮機４、四方弁５、膨張弁６、室外熱交換器７、室外ファン８、吐出温センサ９、室外配管温センサ１０、外気温センサ１１が設けられている。室内機３には、室内熱交換器１２、室内ファン１３、室内配管温度センサ１７、吸込センサ１８が設けられており、室外機と室内機が冷凍サイクルを形成するように接続され、四方弁５を切り替えることによって冷房と暖房をおこなわれるようになっている。また、室外機２、室内機３にはそれぞれに室外制御部２０と室内制御部２１とが設けられており、両制御部２０、２１は接続線によって接続されている。室内制御部２１には、室内機３の外に設けられたリモコン２３から送信される赤外線信号を受信する受信部２２を有しており、ユーザーがリモコン２３上で様々な操作をおこなうことが可能となっている。
【００１５】
以上のように構成された空気調和機について、以下にその動作、作用を説明する。
【００１６】
図２において、２４は吸込温度、２５は吸込温度検出手段、２６はリモコン設定温度、２７はリモコン設定温度検出手段、２８はリモコン設定風量、２９はリモコン設定風量検出手段、３０は偏差算出手段、３１は周波数決定手段、３２は出力周波数である。
【００１７】
サーモオフ後、暖房運転が再開されると、吸入温度検出手段２５により吸込温度２４が検出され、リモコン設定温度検出手段２７にてリモコン設定温度２６が検出される。リモコン設定温度２６と吸込温度２４から偏差算出手段３０によって偏差が算出され、偏差、吸込温度２４、リモコン設定風量２８から周波数決定手段３１によって、周波数が決定さ
れ、出力周波数３２として圧縮機に指令が出される。
【００１８】
また、図３においてサーモオフ後、暖房運転が開始されると、Ｓｐ１において偏差によって決定される周波数が所定の周波数以下であるかどうかの判定がおこなわれ、そうであればＳｐ２に進み、そうでなければＳｐ３に進む。Ｓｐ２において偏差によって決定される周波数が選択されその周波数が出力周波数として、圧縮機に指令がだされる。Ｓｐ３において所定の周波数が選択されその周波数が出力周波数として、圧縮機に指令がだされる。以上、暖房運転が停止または次にサーモオフが起きるまでこの動作が周期的に繰り返される。
【００１９】
以上のように、本実施の形態１においては、暖房運転時、室内温度がリモコン設定温度を所定の温度より高い状態に達し、圧縮機を停止するサーモオフ状態になり、その後、室温が低下し、圧縮機が再び運転を開始する場合、運転周波数が所定の周波数を超えないように制限を設けることにより、室温上昇時、室内が必要としている熱量に対して、所定の熱量以上の熱量の供給を行わないので、サーモオフを頻繁に繰り返すことなく、室温のハンチングを押さえ快適な状態を維持することができる。
【００２０】
（実施の形態２）
本発明の第２の実施の形態において図４は空気調和機の制御装置のブロック図、図５はフローチャートである。図４において、３３は吸込温度、３４は吸込温度検出手段、３５はリモコン設定温度、３６はリモコン設定温度検出手段、３７はサーモオフ後における圧縮機起動からの経過時間、３８はサーモオフ後における圧縮機起動からの経過時間検出手段、４１は偏差算出手段、４２は周波数決定手段、４３は出力周波数である。
【００２１】
サーモオフ後、暖房運転が再開されると吸入温度検出手段３４により吸込温度３３が検出され、リモコン設定温度検出手段３６にてリモコン設定温度３５が検出され、サーモオフ後における圧縮機起動からの経過時間検出手段３８によってサーモオフ後における圧縮機起動からの経過時間３７が検出される。リモコン設定温度３５と吸込温度３３から偏差算出手段４１によって偏差が算出され、偏差、吸込温度３３、リモコン設定風量３７から周波数決定手段４２によって、周波数が決定され、出力周波数４３として圧縮機に指令が出される。
【００２２】
また、図５において、サーモオフ後、暖房運転が再開されると、Ｓｐ４においてサーモオフ後における圧縮機起動からの経過時間は所定の時間に達したかどうかの判定がおこなわれ、そうであればＳｐ６に進み、そうでなければＳｐ５に進む。Ｓｐ５において偏差によって決定される周波数が所定の周波数以下であるかどうかの判定がおこなわれ、そうであればＳｐ６に進み、そうでなければＳｐ７に進む。Ｓｐ６において偏差によって決定される周波数が選択されその周波数が出力周波数として、圧縮機に指令がだされる。Ｓｐ７において所定の周波数が選択されその周波数が出力周波数として、圧縮機に指令がだされる。以上、暖房運転が停止または次にサーモオフが起きるまでこの動作が周期的に繰り返される。
【００２３】
以上のように、本実施の形態２においては、サーモオフ状態から圧縮機が再び運転を開始し、所定の時間経過した場合、運転周波数の制限を解除し、リモコン設定温度と吸込温度の偏差等に基づき決定される圧縮機運転周波数を用いるので、何らかの原因によって、熱負荷が変化し、室内が必要としている熱量が増加していた場合、所定の時間経過後において室内が設定室温に達していないことがあるが、所定の時間経過後周波数制限が解除され、高い周波数で運転を行うことが可能となるので、供給熱量を増加させることができる。あるいは、所定の時間経過後、室内が設定室温に達していた場合においては、現状の運転周波数を維持するので、サーモオフが頻繁に起こることを防ぎつつ、また熱負荷の変動
などに対応して必要な暖房能力を出すことが可能となる。
【００２４】
（実施の形態３）
本発明の第３の実施の形態において図２は空気調和機の制御装置のブロック図、図６はフローチャートである。
【００２５】
図６において、サーモオフ後暖房運転が再開されると、Ｓｐ８においてリモコン設定温度が上げられたかどうかの判定がおこなわれ、そうであればＳｐ１０に進み、そうでなければＳｐ９に進む。Ｓｐ９において偏差によって決定される周波数が所定の周波数以下であるかどうかの判定がおこなわれ、そうであればＳｐ１０に進み、そうでなければＳｐ１１に進む。Ｓｐ１０において偏差によって決定される周波数が選択されその周波数が出力周波数として、圧縮機に指令がだされる。Ｓｐ１１において所定の周波数が選択されその周波数が出力周波数として、圧縮機に指令がだされる。以上、暖房運転が停止または次にサーモオフが起きるまでこの動作が周期的に繰り返される。
【００２６】
以上のように、本実施の形態３においては、ユーザーがリモコン設定温度を上げた場合、リモコン設定温度と吸込温度の偏差等に基づき決定される圧縮機運転周波数を用いるので、リモコン設定温度を上げたことにより、室内が必要としている熱量が増加するが、周波数制限が解除され、高い周波数で運転を行うことが可能となるので、供給熱量を増加させることができユーザーが望む暖房能力を出力すことが可能となる。
【産業上の利用可能性】
【００２７】
以上のように、本発明にかかる空気調和機は、一度サーモオフした後は、周波数制限を設けることで、室内が必要としている熱量に対して、所定の熱量以上の熱量の供給を行わないので、サーモオフを頻繁に繰り返すことなく、室温のハンチングを防止し快適な状態を維持することが可能となるので、種々の空気調和機に適用できる。
【図面の簡単な説明】
【００２８】
【図１】本発明の実施の形態１における空気調和機の概略図
【図２】本発明の実施の形態１における周波数制御のブロック図
【図３】本発明の実施の形態１における周波数制御のフローチャート
【図４】本発明の実施の形態２における周波数制御のブロック図
【図５】本発明の実施の形態２における周波数制御のフローチャート
【図６】本発明の実施の形態３における周波数制御のフローチャート
【図７】従来の周波数制御のブロック図
【符号の説明】
【００２９】
１  空気調和機
２  室外機
３  室内機
４  圧縮機
５  四方弁
６  膨張弁
７  室外熱交換器
８  室外ファン
９  吐出温センサ
１０  室外配管温センサ
１１  外気温センサ
１２  室内熱交換器
１３  室内ファン
１７  室内配管温度センサ
１８  吸込センサ
２０  室外制御部
２１  室内制御部
２２  受信部
２３  リモコン
２４  吸込温度
２５  吸込温度検出手段
２６  リモコン設定温度
２７  リモコン設定温度検出手段
３０  偏差算出手段
３１  周波数決定手段
３２  出力周波数
３３  吸込温度
３４  吸込温度検出手段
３５  リモコン設定温度
３６  リモコン設定温度検出手段
３７  サーモオフ後における圧縮機起動からの経過時間
３８  サーモオフ後における圧縮機起動からの経過時間検出手段
４１  偏差算出手段
４２  周波数決定手段
４３  出力周波数
４４  吸込温度
４５  吸込温度決定手段
４６  リモコン設定温度
４７  リモコン設定温度検出手段
４８  偏差算出手段
４９  周波数テーブル
５０  出力周波数
【図１】
2006112702.tif 000003
【図２】
2006112702.tif 000004
【図３】
2006112702.tif 000005
【図４】
2006112702.tif 000006
【図５】
2006112702.tif 000007
【図６】
2006112702.tif 000008
【図７】
2006112702.tif 000009